(57)【要約】【課題】流量計測用機種又は漏洩検知用機種の一括設定を可能として誤設定の防止及びコストダウンに貢献する。【解決手段】流量計測用機種及び漏洩検知用機種に係る複数種類の機能プログラムを記憶する機能プログラム記憶手段１１ｂと、外部から入力される複数の制御データに基づいて、複数種類の機能プログラムの中から流量計測用機種又は漏洩検知用機種に対応した機能プログラムを選択する選択手段１１ａ１と、選択手段１１ａ１が選択した機能プログラムを実行する機能プログラム実行手段１１ａ２と、を有し、同一筐体を用いて流量計測用機種又は漏洩検知用機種として選択的に機能する電子式ガスメータ１において、複数の制御データを一体に有する電文情報を取得する電文情報取得手段１１ａ３を有し、選択手段１１ａ１は、電文情報取得手段１１ａ３が取得した電文情報の複数の制御データに基づいて機能プログラムを選択する手段である。【選択図】図１
2008286655.tif 000002
【特許請求の範囲】
【請求項１】
流量計測用機種及び漏洩検知用機種に係る複数種類の機能プログラムを記憶する機能プログラム記憶手段と、外部から入力される複数の制御データに基づいて、前記機能プログラム記憶手段が記憶している複数種類の機能プログラムの中から前記流量計測用機種又は漏洩検知用機種に対応した機能プログラムを選択する選択手段と、前記選択手段が選択した機能プログラムを実行する機能プログラム実行手段と、を有し、同一筐体を用いて前記流量計測用機種又は漏洩検知用機種として選択的に機能する電子式ガスメータにおいて、
前記複数の制御データを一体に有する電文情報を取得する電文情報取得手段を有し、
前記選択手段は、前記電文情報取得手段が取得した電文情報の複数の制御データに基づいて前記機能プログラムを選択する手段であることを特徴とする電子式ガスメータ。
【請求項２】
前記選択手段による機能プログラムの選択完了を示す完了情報を記憶する完了情報記憶手段を有し、
前記選択手段は、前記完了情報記憶手段が完了情報を記憶していないときにのみ前記機能プログラムを選択する手段であることを特徴とする請求項１に記載の電子式ガスメータ。
【請求項３】
前記流量計測用機種に関する情報を表示する計測用表示部と前記漏洩検知用機種に関する情報を表示する漏洩用表示部とからなる表示手段を有し、
前記機能プログラム実行手段が前記流量計測用機種に対応した機能プログラムを実行したときは前記計測用表示部に情報を表示させ、且つ、前記漏洩検知用機種に対応した機能プログラムを実行したときは前記漏洩用表示部に情報を表示させる手段であるとを特徴とする請求項１又は２に記載の電子式ガスメータ。
【発明の詳細な説明】
【技術分野】
【０００１】
本発明は、電子式ガスメータに関し、特に、流量計測用機種及び漏洩検知用機種に係る機能プログラムを複数種類の機能プログラムの中から選択して実行することにより、同一筐体を用いて流量計測用機種又は漏洩検知用機種として選択的に機能する電子式ガスメータに関するものである。
【背景技術】
【０００２】
例えば、マンション等の集合住宅にガスを供給するガス供給設備は、図６に示すように構成されている。図６において、ガス容器等のガス供給源１０１とマンション１０２のガス取り入れ口１０３とはガス供給管１０４で接続されている。ガス供給管１０４は、ガス供給源１０１側の元圧力調整器１０５から第１圧力調整器１０６を介してマンション１０２全体に供給するガス量を積算する第１ガスメータ１０７までの間に設けられる第１供給管１０４ａと、第１ガスメータ１０７とガス取り入れ口１０３との間に設けられる第２供給管１０４ｂと、を有している。また、ガス取り入れ口１０３には各階別にバルブ１０８，１０９が設けられており、マンション１０２内の各住宅にはそれぞれバルブ１１０及び個別ガスメータ１１１を介して配管１１２によりガス消費設備１１３にガスが供給される。
【０００３】
第１供給管１０４ａには第１圧力調整器１０６の入口側と出口側を接続するバイパス流路１１４が設けられている。このバイパス流路１１４には、入口側から順次バルブ１１５、第２圧力調整器１１６、微少漏洩検出用の第２ガスメータ１１７及びバルブ１１８が設けられている。第２圧力調整器１１６の調整圧力は第１圧力調整器１０６の調整圧力よりも高く設定されており、第２ガスメータ１１７は微少漏洩検知を監視し、漏洩を検知したときに警報を行う。
【０００４】
上述した第１ガスメータ１０７及び個別ガスメータ１１１は流用計測用機種、第２ガスメータ１１７は漏洩検知用機種として区別されているが、筐体等のハードウェア構成は同一構成であることから、ガスメータのコストダウンを図るために、それらの機種をソフトウェアにより区別してハードウェア構成を共通化することが検討されている。
【０００５】
そして、特許文献１に示す電子式ガスメータは、ガスメータに接続される器具にて使用されうるガス種を含むデータを予め記憶しておき、指定されたガス種に適合するように、保安及び流量計測に係るソフトウェアを容易に設定変更するための技術思想が記載されている。
【特許文献１】特開２００６−２４２６４２号公報
【発明の開示】
【発明が解決しようとする課題】
【０００６】
同一筐体を用いた従来のガスメータを流量計測用機種又は漏洩検知用機種として選択的に設定する方法は、まず、ガスメータにハンディターミナル（Ｈ／Ｔ）を通信可能にケーブル等を介して接続する。なお、Ｈ／Ｔは、周知であるように、各種情報を表示する表示部、各種情報を入力させる操作部等を有している。
【０００７】
Ｈ／Ｔは、その表示部に各種制御コードを入力させるための入力画面を表示し、該表示に応じて作業者等によって操作部を介して入力された制御コードを電子式ガスメータに送信する。このような一連の設定処理を設定項目数分だけ繰り返すことで、ガスメータは、制御コードに基づいて流量計測用機種又は漏洩検知用機種に係るソフトウェアを設定変更している。
【０００８】
このように従来のガスメータは、設定項目数分だけ制御コードの入力設定作業が必要であり、機能を個々に設定するための工数及び設定時間がかかるため、ハードウェア構成を共通化できてもコストダウンには限界があった。また、漏洩検知用機種は特殊であり、流量計測用機種の機能を一部停止したり、一部機能を保有するものと規定されているが、ガスメータにハンディターミナル等を接続して人的に設定作業を行う場合、誤設定が生じると、本来機能してはならない機能が誤って設定されたり、機能すべき機能が設定されない等の設定不良による不具合が生じる可能性があった。そして、このような不具合が発生すると、設定項目を人的に確認して誤設定を確認する必要があり、設定作業における工数増加の原因となっていた。
【０００９】
よって本発明は、上述した現状に鑑み、流量計測用機種又は漏洩検知用機種の一括設定を可能として誤設定の防止及びコストダウンに貢献することができる電子式ガスメータを提供することを課題としている。
【課題を解決するための手段】
【００１０】
上記課題を解決するため本発明によりなされた請求項１記載の電子式ガスメータは、図１の基本構成図に示すように、流量計測用機種及び漏洩検知用機種に係る複数種類の機能プログラムを記憶する機能プログラム記憶手段１１ｂと、外部から入力される複数の制御データに基づいて、前記機能プログラム記憶手段１１ｂが記憶している複数種類の機能プログラムの中から前記流量計測用機種又は漏洩検知用機種に対応した機能プログラムを選択する選択手段１１ａ１と、前記選択手段１１ａ１が選択した機能プログラムを実行する機能プログラム実行手段１１ａ２と、を有し、同一筐体を用いて前記流量計測用機種又は漏洩検知用機種として選択的に機能する電子式ガスメータ１において、前記複数の制御データを一体に有する電文情報を取得する電文情報取得手段１１ａ３を有し、前記選択手段１１ａ１は、前記電文情報取得手段１１ａ３が取得した電文情報の複数の制御データに基づいて前記機能プログラムを選択する手段であることを特徴とする。
【００１１】
請求項２記載の発明は、図１の基本構成図に示すように、請求項１に記載の電子式ガスメータにおいて、前記選択手段１１ａ１による機能プログラムの選択完了を示す完了情報を記憶する完了情報記憶手段１２を有し、前記選択手段１１ａ１は、前記完了情報記憶手段１２が完了情報を記憶していないときにのみ前記機能プログラムを選択する手段であることを特徴とする。
【００１２】
請求項３記載の発明は、図１の基本構成図に示すように、請求項１又は２に記載の電子式ガスメータにおいて、前記流量計測用機種に関する情報を表示する計測用表示部１７ａと前記漏洩検知用機種に関する情報を表示する漏洩用表示部１７ｂとからなる表示手段１７を有し、前記機能プログラム実行手段１１ａ２が前記流量計測用機種に対応した機能プログラムを実行したときは前記計測用表示部１７ａに情報を表示させ、且つ、前記漏洩検知用機種に対応した機能プログラムを実行したときは前記漏洩用表示部１７ｂに情報を表示させる手段であるとを特徴とする。
【発明の効果】
【００１３】
以上説明したように請求項１に記載した本発明の電子式ガスメータによれば、複数の制御データを一体に有する電文情報を取得し、当該複数の制御データに基づいて複数種類の機能プログラムの中から流量計測用機種又は漏洩検知用機種に対応した機能プログラムを選択するようにしたことから、複数の制御データを一括して取得できるため、流量計測用機種又は漏洩検知用機種にかかる設定時間の短縮及び設定作業の簡単化を図ることができる。また、作業者等が流量計測用機種又は漏洩検知用機種にかかる設定項目を設定する必要がなくなるので、誤設定を防止することができる。従って、筐体等のハードウェアの共通化によるコストダウンに加え、流量計測用機種又は漏洩検知用機種を一括設定できるため、組み立て工数の減少等による電子式ガスメータのソフトウェアにかかるコストダウンに貢献することができる。
【００１４】
請求項２に記載した本発明の電子式ガスメータによれば、請求項１に記載の発明の効果に加え、機能プログラムの選択完了に応じて完了情報を記憶し、該完了情報を記憶していないときにのみ機能プログラムの選択を行うようにしたことから、一度設定したら二度と設定を変更することができないため、流量計測用機種又は漏洩検知用機種を同一筐体で選択的に機能させる場合でも、誤って機種が切り替えられることを防止できる。従って、機能すべき機種として電子式ガスメータを確実に動作させることができるため、機種を区別するための専用部品を用いる必要がなくなり、より一層のコストダウンに貢献することができる。
【００１５】
請求項３に記載した本発明の電子式ガスメータによれば、請求項１又は２に記載の発明の効果に加え、計測用表示部と漏洩用表示部とからなる表示手段を設け、流量計測用機種に対応した機能プログラムを実行したときは少なくとも計測用表示部に情報を表示し、また、漏洩検知用機種に対応した機能プログラムを実行したときは計測用表示部には情報を表示せずに漏洩用表示部にのみ情報を表示するようにしたことから、従来のように流量計測用機種として誤使用されないための検針値マスクシール、機種を識別するためのシール等の追加部品を排除することができるため、より一層のコストダウンに貢献することができる。
【発明を実施するための最良の形態】
【００１６】
以下、本発明に係る電子式ガスメータの一実施形態を、図２〜図５の図面を参照して以下に説明する。
【００１７】
図２において、電子式ガスメータ（以下ガスメータともいう）１は、流量計測用機種と漏洩検知用機種を同一の筐体１０をして任意に設定することが可能な構成となっている。そして、ガスメータ１は、正面から見ると、筐体１０の上部左側に流入口１０ａ、上部右側に流出口１０ｂが形成されている。そして、正面左側には操作部（復帰ボタン）１５、正面中央部には表示部１７が配置されている。
【００１８】
ガスメータ１は、上述した公知であるハンディターミナル（Ｈ／Ｔ）５が通信可能に後述する端子台１６を介して接続され、該Ｈ／Ｔ５から電文情報等の各種情報を受信する。なお、Ｈ／Ｔ５との通信に関しては、有線又は無線による通信とするなど種々異なる実施形態とすることができる。
【００１９】
ガスメータ１は、図３に示すように、予め定められたプログラムに従って動作するマイクロプロセッサ（ＭＰＵ）１１と、メモリ部１２と、流量センサ１３と、遮断部１４と、操作部１５と、端子台１６と、表示部１７と、を有している。
【００２０】
ＭＰＵ１１は、周知のように、予め定めたプログラムに従って各種の処理や制御などを行う中央演算処理装置（ＣＰＵ）１１ａ、ＣＰＵ１１ａのためのプログラム等を格納した読み出し専用のメモリであるＲＯＭ１１ｂ、各種のデータを格納するとともにＣＰＵ１１ａの処理作業に必要なエリアを有する読み出し書き込み自在のメモリであるＲＡＭ１１ｃ等を有して構成している。
【００２１】
ＲＯＭ１１ｂは、ＣＰＵ１１ａを請求項中の選択手段、機能プログラム実行手段、及び電文情報取得手段等の各種機種として機能させるためのプログラムを記憶している。また、ＲＯＭ１１ｂは、請求項中の機能プログラム記憶手段として機能しており、流量計測用機種及び漏洩検知用機種に係る複数種類の機能プログラムを記憶している。そして、電子式ガスメータ１において、漏洩検知用機種は特殊であり、流量計測用機種の機能の一部を停止したもの、または、一部を保有したものと規定されていることから、該機能プログラムとしては、流量計測用機種に対応した複数の流量計測用機能プログラムと、漏洩検知用機種に対応した複数の漏洩検知用機能プログラムと、流量計測用機種及び漏洩検知用機種の双方で共通に用いられる共通機能プログラムと、に区分して記憶しておくことで、該当する機種に応じた機能プログラムを任意に選択できる構成となっている。
【００２２】
例えば、ガスメータ１は、漏洩検知用機種としてガスメータ１を機能させる場合、流量計測用機種に対応した使用時間遮断、感震器遮断、圧力式微少漏洩、口火登録等の機能を停止し、電池電圧低下警告、流量式微少漏洩警告、圧力異常警告（オプション）、通信機能（オプション）等の機能を共有することになる。
【００２３】
メモリ部１２は、前記電池からの電力供給が断たれた場合でも、格納された各種データの保持が可能であり、ＣＰＵ１１ａの処理作業に必要な各種格納エリアを有する電気的消去／書き換え可能な読み出し専用のメモリ（ＥＥＰＲＯＭ）等が用いられる。メモリ部１２は、請求項中の完了情報記憶手段として機能しており、生産工程で一度設定したら二度と変更できなくするために、機能プログラムの選択完了を示す完了情報を設定完了後に記憶する記憶領域を有している。
【００２４】
流量センサ１３は、例えば、ガス流路に配設された一対の超音波振動子から構成され、センサ回路部（図示せず）を介してＭＰＵ１１に接続される。そして、ＭＰＵ１１は、公知のように、流量センサ１４の一対の超音波振動子間の超音波信号伝搬時間に基づいて、ガス流路を通過するガスの流速、流量を算出する。なお、流量センサ１４については、流量センサがガスメータ１０の内部の可動部（膜）の動きに応じて流量信号を発生し、該流量信号をデジタル変換してＭＰＵ１１に出力したり、フローセンサを用いたりするなど種々異なる実施形態とすることができる。
【００２５】
遮断部１４は、図示しないが、弁体と該弁体を駆動する駆動回路とを有し、ＭＰＵ１１から遮断信号が入力されると、ガス流路に設けた弁座を弁体で遮断するように駆動することでガス流路を遮断する供給停止状態となる。また、ＭＰＵ１１から復帰信号が入力されると、弁体が弁座を開放するように駆動することでガス流路を開放する供給可能状態となる。
【００２６】
操作部１５は、図２に示すように、筐体１０の正面左側に設けられた復帰ボタンを有している。操作部１５は、基本的に、ガスの使用状態が異常になった場合に遮断部１４の遮断弁が作動した後、異常状態が解除された際に、この遮断弁を通常状態に復帰させるとき等に操作されるものである。
【００２７】
端子台１６は、電子式ガスメータ１の外部にある種々の外部機器がケーブル６を介して電気的に接続される。端子台１６は、ＭＰＵ１１と接続された外部機器との間で各種信号の授受を行うためのインタフェース回路を有している。そして、端子台１６にＨ／Ｔ５が接続されると、端子台１６は、ＭＰＵ１１から入力される各種電文を示す信号をＨ／Ｔ５に送信すると共に、Ｈ／Ｔ５から受信した信号が示す電文をＭＰＵ１１に出力する。
【００２８】
表示部１７は、例えば公知のＬＣＤ（Liquid Crystal Display；液晶ディスプレイ）等が用いられる。表示部１７は、図２に示すように、積算されたガス使用量（検針値）等の流量計測用機種に関する情報のみを表示する計測用表示部１７ａと、瞬時流量、圧力値、警報内容等の漏洩検知用機種及び流量計測用機種に関する情報のみを表示する漏洩用表示部１７ｂとからなる。
【００２９】
表示部１７は、ＭＰＵ１１によって制御される。具体的には、ＭＰＵ１１は流量計測用機種に対応した機能プログラムを実行しているときは計測用表示部１７ａにのみ流量計測に関する情報を表示させ、且つ、異常の検出に応じて当該警報内容を漏洩用表示部１７ｂに表示させる。また、漏洩検知用機種に対応した機能プログラムを実行しているときは漏洩用表示部１７ｂにのみ情報を表示させる。
【００３０】
このように計測用表示部１７ａと漏洩用表示部１７ｂを設けても、機種に対応した表示エリアのみに表示対象を表示するため、従来のように機種に対応しない表示エリアをマスクシール等で隠す専用部品を不要とすることができる。よって、従来のガスメータが抱えていた、筐体等のハードウェアを共通化することで部品点数を減らして管理工数を削減できても、専用部品を追加する必要があり且つ機能を個々に設定するための工数がかかることによるコストアップの要因を本発明によって排除することができる。
【００３１】
なお、本実施形態では、電子式ガスメータ１０が流量計測用機種の場合、計測用表示部１７ａ及び漏洩用表示部１７ｂに情報を表示し、漏洩検知用機種の場合、漏洩用表示部１７ｂにのみ情報を表示する実施形態について説明したが、本発明はこれに限定するものではなく、例えば、流量計測用機種の場合は計測用表示部１７ａのみ、漏洩検知用機種の場合は漏洩用表示部１７ｂのみに表示するなど種々異なる実施形態とすることができる。また、表示部１７の計測用表示部１７ａ及び漏洩用表示部１７ｂは、表示部１７の全ての表示領域を、例えば、上下に分割した分割領域、任意に設定した部分領域等の任意の領域として設定するなど種々異なる実施形態とすることができる。
【００３２】
次に、図４は電子式ガスメータ１で受信する機種設定用の電文情報の一例を示している。電文情報Ｄは、先頭にヘッダＳＴＸが付加され、後尾にフッタＥＴＸと誤り検出符号ＢＣＣが付加されており、ヘッダＳＴＸとフッタＥＴＸとの間には管理データＤ１と複数の制御データＤ２を一体に有するデータ構造となっている。
【００３３】
管理データＤ１は、識別データ、パスワード、事業体データ、機種識別データ等の各種データを有している。制御データＤ２の各々は、任意に割り振られた各種設定項目に設定すべき設定値を有している。例えば、口火登録機能停止、使用時間遮断無段階自動設定、合計・増加流量遮断区分無段階自動設定、流量確認遮断あり、リセット要求機能あり、ガス使用量変更通報、不在確認通報、自動設定機能、圧力式微少漏洩機能あり等の設定項目に対応した設定値を有している。
【００３４】
次に、上述したＣＰＵ１１ａが実行する機種設定処理の一例を、図５に示すフローチャートを参照して以下に説明する。
【００３５】
ＣＰＵ１１ａによって図５に示す機種設定処理が実行されることで、ステップＳ１１において、メモリ部１２の完了情報の有無等に基づいて、設定可能状態であるか否かが判定される。なお、本実施形態では、設定可能状態を機種設定が終了したか否かに基づいて判定する場合について説明するが、本発明はこれに限定するものではなく、例えば、電源投入後（リセットを含む）テスト遮断入力までの間など任意に設定することができる。
【００３６】
ステップＳ１１で設定可能状態ではないと判定された場合（Ｓ１１でＮ）、ステップＳ１６に進む。一方、設定可能状態であると判定された場合（Ｓ１１でＹ）、ステップＳ１２において、端子台１６を介して設定用の電文情報Ｄを受信しているか否かが判定される。電文情報Ｄを受信していないと判定された場合（Ｓ１２でＮ）、ステップＳ１６に進む。一方、電文情報Ｄを受信していると判定された場合（Ｓ１２でＹ）、ステップＳ１３に進む。
【００３７】
ステップＳ１３（電文情報取得手段）において、端子台１６から電文情報Ｄが取得されてメモリ部１２に記憶され、該電文情報Ｄから複数の制御データＤ２が抽出されてＲＡＭ１１ｃに記憶され、その後ステップＳ１４に進む。
【００３８】
ステップＳ１４（選択手段）において、一括設定処理が実行され、ＲＡＭ１１ｃの複数の制御データＤ２に基づいて各種設定項目が設定され、流量計測用機種又は漏洩検知用機種が特定されることで、ＲＯＭ１１ｂに記憶している複数の漏洩検知用機能プログラム又は複数の漏洩検知用機能プログラムの何れかが実行すべき機能プログラムとして選択され、その後ステップＳ１５に進む。なお、機能プログラムの選択方法については、制御データＤ２で実行すべき機能プログラムを指定するなど種々異なる実施形態とすることができる。
【００３９】
ステップＳ１５において、機種設定が完了したことを通知するための設定完了電文が生成され、端子台１６を介してＨ／Ｔ５に送信されることで、Ｈ／Ｔ５の表示部に機能設定の完了を通知する画面を表示させ、その後ステップＳ１６に進む。
【００４０】
ステップＳ１６において、終了要求を受けたか否かが判定される。終了要求を受けていないと判定された場合（Ｓ１６でＮ）、ステップＳ１１に戻り、一連の処理が繰り返される。一方、終了要求を受けたと判定された場合（Ｓ１６でＹ）、処理を終了する。
【００４１】
次に、上述した電子式ガスメータ１の機種設定を行う場合の動作（作用）の一例を以下に説明する。
【００４２】
生産された電子式ガスメータ１の設定を行う場合、工場の生産工程、設置場所等で端子台１６にケーブル６を介して通信可能にＨ／Ｔ５が接続される。Ｈ／Ｔ５は、作業者による操作によって機種設定機能が選択されると、表示部に設定機種を選択させるための選択画面を表示する。そして、設定する機種が選択されると、図４に示す機種設定用の電文情報Ｄが生成されてガスメータ１に送信する。
【００４３】
ガスメータ１は、電文情報Ｄを取得すると、その電文情報Ｄが有する複数の制御データＤ２に基づいて各種設定を行うことで、流量計測用機種又は漏洩検知用機種に設定され、その機種に対応した機能プログラムが選択されることになる。例えば、流量計測用機種が設定された場合、機能プログラムとしては、ＲＯＭ１１ｂの複数の流量計測用機能プログラムと共通機能プログラムが選択されることになる。また、漏洩検知用機種が設定された場合、機能プログラムとしては、複数の漏洩検知用機能プログラムと共通機能プログラムが選択されることになる。そして、機種設定が完了すると、完了情報がメモリ部１２に記憶して処理を終了する。その後、ガスメータ１は図６に示すガス供給設備等に設置される。
【００４４】
このように本発明のガスメータ１は、電文情報Ｄを受信するだけで一括設定を行うことができるため、従来ガスメータのような個別電文が不要となることから、設定時間、設定工数を減少することができる。
【００４５】
流量計測用機種として設定されたガスメータ１は、起動されると、ＣＰＵ１１ａによって複数の流量計測用機能プログラムと共通機能プログラムのみを実行する。そして、それらのプログラムが実行されている場合、その関連するガス使用量、警報内容等の情報は図２に示す表示部１７の計測用表示部１７ａ及び漏洩用表示部１７ｂに表示される。
【００４６】
また、漏洩検知用機種として設定されたガスメータ１は、起動されると、ＣＰＵ１１ａによって複数の漏洩検知用機能プログラムと共通機能プログラムのみを実行する。そして、それらのプログラムが実行されている場合、その関連する瞬時流量、圧力値、警報内容等の情報は図２に示す表示部１７の漏洩用表示部１７ｂにのみ表示される。即ち、表示部１７の計測用表示部１７ａには何も表示しないことから、ソフトウェアにより計測用表示部１７ａはマスクされることになる。
【００４７】
以上説明した電子式ガスメータ１によれば、複数の制御データＤ２を一体に有する電文情報Ｄを取得し、当該複数の制御データＤ２に基づいて複数種類の機能プログラムの中から流量計測用機種又は漏洩検知用機種に対応した機能プログラムを選択するようにしたことから、複数の制御データＤ２を一括して取得できるため、流量計測用機種又は漏洩検知用機種にかかる設定時間の短縮及び設定作業の簡単化を図ることができる。また、作業者等が流量計測用機種又は漏洩検知用機種にかかる設定項目を設定する必要がなくなるので、誤設定を防止することができる。従って、筐体１０等のハードウェアの共通化によるコストダウンに加え、流量計測用機種又は漏洩検知用機種を一括設定できるため、組み立て工数の減少等による電子式ガスメータ１のソフトウェアにかかるコストダウンに貢献することができる。
【００４８】
また、機能プログラムの選択完了に応じて完了情報をメモリ部１２に記憶し、該完了情報を記憶していないときにのみ機能プログラムの選択を行うようにしたことから、一度設定したら二度と設定を変更することができないため、流量計測用機種又は漏洩検知用機種を同一筐体で選択的に機能させる場合でも、誤って機種が切り替えられることを防止できる。従って、機能すべき機種として電子式ガスメータ１を確実に動作させることができるため、機種を区別するための専用部品を用いる必要がなくなり、より一層のコストダウンに貢献することができる。
【００４９】
さらに、計測用表示部１７ａと漏洩用表示部１７ｂとからなる表示部１７を設け、流量計測用機種に対応した機能プログラムを実行したときは計測用表示部１７ａにのみ情報を表示し、また、漏洩検知用機種に対応した機能プログラムを実行したときは漏洩用表示部１７ｂにのみ情報を表示するようにしたことから、従来のように流量計測用機種として誤使用されないための検針値マスクシール、機種を識別するためのシール等の追加部品を排除することができるため、より一層のコストダウンに貢献することができる。
【００５０】
なお、上述した本実施形態では、ガスメータ１がＨ／Ｔ５から電文情報Ｄを取得する場合について説明したが、本発明はこれに限定するものではなく、例えば、公衆網、インターネット等を介して管理センターの端末装置等から電文情報Ｄを取得するなど種々異なる実施形態とすることができる。
【００５１】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００５２】
【図１】本発明の電子式ガスメータの基本構成を示す構成図である。
【図２】本発明に係る電子式ガスメータの設定例を説明するための正面図である。
【図３】図２の電子式ガスメータの概略構成を示す構成図である。
【図４】電子式ガスメータで受信する機種設定用の電文情報の一例を示す図である。
【図５】図３のＣＰＵが実行する機種設定処理の一例を示すフローチャートである。
【図６】集合住宅にガスを供給するガス供給設備の概略構成の一例を示す図である。
【符号の説明】
【００５３】
１    電子式ガスメータ（ガスメータ）
５    ハンディターミナル（Ｈ／Ｔ）
１０    筐体
１１ａ１    選択手段（ＣＰＵ）
１１ａ２    機能プログラム実行手段（ＣＰＵ）
１１ａ３    電文情報取得手段（ＣＰＵ）
１１ｂ    機能プログラム記憶手段（ＲＯＭ）
１２    完了情報記憶手段（メモリ部）
１７    表示手段（表示部）
１７ａ    計測用表示部
１７ｂ    漏洩用表示部
【図１】
2008286655.tif 000003
【図２】
2008286655.tif 000004
【図３】
2008286655.tif 000005
【図４】
2008286655.tif 000006
【図５】
2008286655.tif 000007
【図６】
2008286655.tif 000008